(57)【特許請求の範囲】
【請求項１】
ズボンを着用した脚の膝から靴の上部までをカバーする布製円筒状のカバー本体を有したフットカバーにおいて、
該カバー本体の中間部の上部寄りにコールゴムを内側から縫着したゴム縫着部が設けられ、
該ゴム縫着部の上方の背面側に複数のタックが水平方向に形成され、
該カバー本体の上辺部に該上辺部を縮径するための上辺縮径ベルト部が設けられ、
該上辺縮径ベルト部の内側と該上辺部の外面に面ファスナーが縫着され、該カバー本体の上辺部の正面側にコールゴム製の吊り紐が縫着され、該吊り紐の先端にクリップが取着され、前記ズボンの膝部上方に該クリップがクリップ止めされ、
該カバー本体の下辺部に袋状ゴム挿入部が形成され、該袋状ゴム挿入部にコールゴムが挿入され、
該カバー本体は、内側からの湿気を外側に透過させる透湿性と外側からの水の浸入を防ぐ防水性を併せ持つ透湿防水性の布素材から構成されたことを特徴とするフットカバー。
【請求項２】
ズボンを着用した脚の膝から靴の上部までをカバーする布製円筒状のカバー本体を有したフットカバーにおいて、
該カバー本体の中間部の上部寄りにコールゴムを内側から縫着したゴム縫着部が設けられ、
該ゴム縫着部の上方の背面側に複数のタックが水平方向に形成され、
該カバー本体の上辺部に該上辺部を縮径するための上辺縮径ベルト部が設けられ、
該上辺縮径ベルト部の内側と該上辺部の外面に面ファスナーが縫着され、該カバー本体の上辺部の正面側にコールゴム製の吊り紐が縫着され、該吊り紐の先端にクリップが取着され、前記ズボンの膝部上方に該クリップがクリップ止めされ、
該カバー本体の下部寄りに、コールゴムを内側から縫着した下ゴム縫着部が形成され、該下ゴム縫着部の下側に靴上被覆部が下方に開くように延設され、
該カバー本体は、内側からの湿気を外側に透過させる透湿性と外側からの水の浸入を防ぐ防水性を併せ持つ透湿防水性の布素材から構成されたことを特徴とするフットカバー。
【発明の詳細な説明】
【技術分野】
【０００１】
本発明は、給食を調理する給食用厨房、食品を加工する食品加工場等の洗い場などにおいて、水洗い作業などを行う際に、作業者が脚と靴のカバーとして装着するフットカバーに関する。
【背景技術】
【０００２】
例えば、給食を調理する給食用厨房の洗い場などにおいては、食器類や食材を洗う際、多くの水やお湯を使用して洗うため、洗い場の作業者は防水用のケータリングエプロン（catering apron）や長靴を着用して、水洗い作業を行うようにしている。
【０００３】
しかし、ケータリングエプロンの丈が短い場合があり、或は長靴の長さが短い場合があって、そのような場合には、飛散した水やお湯が足にかかったり、靴の内部に浸入したりする不具合があった。
【特許文献１】特開２００４−３１６０２０号公報
【発明の開示】
【発明が解決しようとする課題】
【０００４】
そこで、本出願人は、上記特許文献１により、水洗い作業用に便利に使用可能なフットカバーを提案している。このフットカバーは、使用者の脚と長靴或いは短靴とをカバーするように装着し、給食用厨房の洗い場などにおいて便利に使用されるところ、カバー本体の上辺部に開き部が設けられ、開き部の一方の縁部にそれを面ファスナーにより閉じる閉止部が形成され、使用者の脚に装着した状態で、この閉止部を閉じ、カバー本体の上辺部を使用者の膝の上部に、締め付けて止めるようにしていた。
【０００５】
このため、閉止部を比較的緩く止めた場合、使用者が作業する際に脚（膝）を屈伸すると、カバー本体の上部が使用者の脚からずり落ち易く、一方、閉止部をきつく閉じて止めた場合、使用者の脚を締め付けることとなり、脚の締め付けによって、脚の血行が悪くなるなど、装着感が悪化する課題があった。
【０００６】
特に、カバー本体の上辺部の開き部を、閉止部の面ファスナーによってきつく締め付けた状態で、使用者が作業中に膝を屈伸し或いは深く曲げたとき、カバー本体上部の膝部近傍がつっぱって締付感が増大し、装着感が悪化する課題があった。
【０００７】
本発明は、上記の点に鑑みてなされたもので、装着時のずり落ちやつっぱり感がなく、使用者の装着感を向上させることができるフットカバーを提供することを目的とする。
【課題を解決するための手段】
【０００８】
上記目的を達成するために、本発明の請求項１のフットカバーは、ズボンを着用した脚の膝から靴の上部までをカバーする布製円筒状のカバー本体を有したフットカバーにおいて、該カバー本体の中間部の上部寄りにコールゴムを内側から縫着したゴム縫着部が設けられ、該ゴム縫着部の上方の背面側に複数のタックが水平方向に形成され、該カバー本体の上辺部に該上辺部を縮径するための上辺縮径ベルト部が設けられ、該上辺縮径ベルト部の内側と該上辺部の外面に面ファスナーが縫着され、該カバー本体の上辺部の正面側にコールゴム製の吊り紐が縫着され、該吊り紐の先端にクリップが取着され、前記ズボンの膝部上方に該クリップがクリップ止めされ、該カバー本体の下辺部に袋状ゴム挿入部が形成され、該袋状ゴム挿入部にコールゴムが挿入され、該カバー本体は、内側からの湿気を外側に透過させる透湿性と外側からの水の浸入を防ぐ防水性を併せ持つ透湿防水性の布素材から構成されたことを特徴とする。
また、本発明の請求項２のフットカバーは、ズボンを着用した脚の膝から靴の上部までをカバーする布製円筒状のカバー本体を有したフットカバーにおいて、該カバー本体の中間部の上部寄りにコールゴムを内側から縫着したゴム縫着部が設けられ、該ゴム縫着部の上方の背面側に複数のタックが水平方向に形成され、該カバー本体の上辺部に該上辺部を縮径するための上辺縮径ベルト部が設けられ、該上辺縮径ベルト部の内側と該上辺部の外面に面ファスナーが縫着され、該カバー本体の上辺部の正面側にコールゴム製の吊り紐が縫着され、該吊り紐の先端にクリップが取着され、前記ズボンの膝部上方に該クリップがクリップ止めされ、該カバー本体の下部寄りに、コールゴムを内側から縫着した下ゴム縫着部が形成され、該下ゴム縫着部の下側に靴上被覆部が下方に開くように延設され、該カバー本体は、内側からの湿気を外側に透過させる透湿性と外側からの水の浸入を防ぐ防水性を併せ持つ透湿防水性の布素材から構成されたことを特徴とする。
【０００９】
上記請求項１のフットカバーでは、カバー本体の下辺部に、袋状ゴム挿入部を形成し、その袋状ゴム挿入部にコールゴムを挿入する構成とし、この袋状ゴム挿入部をカバー本体の下辺部に設けることにより、長靴を履いた際には長靴の上部を袋状ゴム挿入部により密着させて、長靴の上部を良好にカバーすることができる。
【００１０】
また、請求項２のフットカバーでは、カバー本体の下部寄りに、コールゴムを内側から縫着して下ゴム縫着部を形成し、この下ゴム縫着部の下側に靴上被覆部を下方に開くように延設する構成とし、この靴上被覆部を下ゴム縫着部の下側に設けることにより、スニーカーなどの短靴を履いた際、短靴の上部を良好にカバーして、短靴を履いた際の最適なフットカバーとすることができる。
【発明の効果】
【００１２】
上記構成のフットカバーは、例えば給食用厨房や食品加工場の洗い場などにおいて、水や湯に濡れやすい場所で作業する作業者が脚の膝から靴にかけてカバーするように着用し、カバー本体の上辺部に取り付けたコールゴム製の吊り紐のクリップは、着用者の例えばズボンの膝部上方の適当な位置にクリップ止めされる。これにより、カバー本体の上部を吊り上げるように保持し、カバー本体の上部が着用者の膝の上部付近までを確実に覆うことができ、着用者が膝を屈伸させた場合でも、コールゴム製の吊り紐によってズボンの突っ張り感をなくしながら、カバー本体のずり落ちを防止することができる。また、カバー本体の上辺部を締め付けずに装着できるため、膝の上部回りを締め付けずに楽に着用することができる。
【００１３】
さらに、中間部上部寄りに設けたゴム縫着部の上側の背面側に、複数のタックが水平方向に形成されるから、装着時には膝の裏側にこのタック部分が位置し、着用者が膝を屈伸したり深く曲げたとき、膝の部分に生じやすいつっぱり感を軽減し、装着感を向上させることができる。また、カバー本体の上辺部に上辺部を縮径するための上辺縮径ベルト部が設けられ、上辺縮径ベルト部の内側と上辺部の外面に面ファスナーが縫着されるから、カバー本体の良好な円筒形状を保持しつつ、着用時にカバー本体の上辺部と脚の隙間を最小にすることができる。
さらに、カバー本体は、内側からの湿気を外側に透過させる透湿性と外側からの水の浸入を防ぐ防水性を併せ持つ透湿防水性の布素材から構成されるので、洗い場などで、防水性を発揮できると共に、蒸し暑い作業環境で、フットカバーを長時間使用した場合でも、脚のむれを軽減することができる。
【発明を実施するための最良の形態】
【００１４】
以下、本発明の実施の形態を図面に基づいて説明する。図１は長靴用のフットカバーの右側面図を示し、図２はその正面図を、図３はその背面図を示している。このフットカバーは、脚の膝から長靴の上部までをカバーする布製円筒状に形成されたカバー本体１を備えて構成される。
【００１５】
カバー本体１は、例えば、綿３５％、ポリエステル６５％の混紡の生地、或いはナイロン１００％の生地に、ポリウレタンの超微小多孔層をコーティングした透湿防水性を有する布素材から構成され、内側からの湿気を外側に透過させる透湿性と外側からの水の浸入を防ぐ防水性を併せ持つ透湿防水性を有している。カバー本体１は、略方形の布素材を円筒状に丸め、両側の縁部を合わせ、縦縫着部７として背面部を縫着して形成される。
【００１６】
布製円筒状のカバー本体１の上辺部２は、その内径が使用者のズボンの脚部の外径より少し大径に形成されると共に、内側に折り返した部分が縫着されて形成され、さらに、上辺部２を縮径するための上辺縮径ベルト部６が上辺部２外周面の一部に、周方向に沿って縫着されている。この上辺縮径ベルト部６の内側に面ファスナー６ｂが縫着され、その面ファスナー６ｂに対応して接着可能な面ファスナー６ａが上辺部の外周面の一部に縫着されている。
【００１７】
使用者がカバー本体１を着用してその上辺部２をズボンの膝部の上方に位置させたとき、脚部と上辺部２との間に広い隙間があれば、上辺縮径ベルト部６を持って上辺部２の一部を折り曲げてそこを縮ませ、その状態で、上辺縮径ベルト部６の内側の面ファスナー６ｂを上辺部２の面ファスナー６ａに接着させ、上辺部２の内径を縮径するようになっている。
【００１８】
さらに、カバー本体１の上辺部２の正面側には、吊り紐４が縫着され、吊り紐４の先端にクリップ５が取着されている。吊り紐４は通常の布製の紐の他、コールゴム製のゴム紐とすることもできる。クリップ５は、例えば、使用者のズボンの脚部の一部を少し折り曲げ、その折り曲げ部を下から挟み、挟持するように使用されるが、クリップ５は、このようなズボンなどの一部を挟持可能な構造のものであれば、何れの構造のものでも使用可能である。例えば、クリップ５は、開閉動作可能な１対の挟持片を備え、挟持片の先端でズボンの脚部を挟持した状態で、挟持片の末端をロックする構造のクリップが使用される。このような構造のクリップは合成樹脂で成形することができ、使用者は簡単な操作でクリップ５をズボンの一部に対し着脱することができる。
【００１９】
さらに、カバー本体１の中間部の上部寄りに、コールゴム８ａを内側から縫着したゴム縫着部８が設けられる。このゴム縫着部８は、使用者がフットカバーのカバー本体１を脚に着用したとき、着用者の膝の少し下方に位置するように、カバー本体１の中間部に配置される。コールゴム８ａを縫着する際、布にギャザーがよるように縫着し、コールゴム８ａを伸ばして伸長可能に縫着される。コールゴム８ａのゴム弾性力は、着用者がカバー本体１をズボンの脚部に着用したとき、脚部を締め付けずにカバー本体１を脚部に保持させる程度に、比較的弱く設定されている。
【００２０】
さらに、カバー本体１におけるゴム縫着部８の上側の背面側に、複数（例えば３本）のタック１１が、カバー本体１の背面側の布を内側につまみ、水平方向に縫い合わせることによって、形成されている。これらのタック１１は、カバー本体１を使用者のズボンの脚部上に着用した場合、その膝部の背面側にあたる位置に形成され、着用者が膝を屈伸したり深く曲げたときでも、膝につっぱり感が生じにくくしている。
【００２１】
さらに、このカバー本体１の下辺部３には、円周方向に沿って袋状ゴム挿入部９が形成されており、その円環状の袋状ゴム挿入部９には、コールゴム９ａが挿入され、使用者が長靴を着用している場合、その長靴の上部外周部を適度な締付力で締め付け隙間なく装着するようになっている。
【００２２】
このように構成されたフットカバーは、給食用厨房や食品加工場などの洗い場などで、食器や食材を水洗いする作業者が長靴Ｌを履き、図１〜図３の如く、その長靴Ｌの上部から使用者のズボンの脚部の膝の上部までを覆うように着用して使用される。
【００２３】
このフットカバーは、通常、使用者が長靴Ｌを履いたまま、先端から内側に通して装着することができるが、長靴を脱いでフットカバーを脚の膝付近まで通し、その後、長靴Ｌを履いて、フットカバーの下辺部の袋状ゴム挿入部９を長靴Ｌの上に被せるように装着することもできる。
【００２４】
そして、カバー本体１の正面側の上辺部２に設けた吊り紐４のクリップ５を、着用者のズボンなどにクリップ止めし、カバー本体１の上辺部２を上方から吊り上げるようにする。この際、例えば、使用者のズボンの脚部の一部を少し折り曲げ、その折り曲げ部にクリップ５を下から挟み込むようにし、簡単にクリップ止めすることができる。
【００２５】
フットカバーを着用すると、そのカバー本体１は使用者の長靴Ｌの上部から膝の上部までを覆い、カバー本体１の上部背面側に設けた複数のタック１１は、着用者の膝の背面側に位置する状態となる。したがって、カバー本体１は使用者の脚の膝の形状に合致した形で着用され、着用者が膝を曲げたとき、膝の部分に生じやすいつっぱり感を軽減し、装着感を良好にすることができる。
【００２６】
一方、カバー本体１の上辺部２とズボンの脚部との間に広い隙間がある場合、上辺縮径ベルト部６の先端を持って上辺部２の一部を少し折り曲げ、上辺縮径ベルト部６の内側の面ファスナー６ｂを引きながら、上辺部２側の面ファスナー６ａに接着させる。これにより、カバー本体１の上辺部２とズボンの脚部との間の隙間を最小にすることができる。
【００２７】
このようなフットカバーの着用状態において、カバー本体１の下辺部３は、長靴Ｌの上部を覆い、袋状ゴム挿入部９が長靴Ｌの上部を軽く締め付ける状態となる。したがって、着用者が脚を激しく動かした場合でも、下辺部３が長靴Ｌから外れることはなく、着用者が洗い場で水仕事を行って、水やお湯が飛散する場合でも、フットカバーの下ゴム縫着部２９が長靴Ｌの上部を隙間なく覆い、且つ良好にフィットした状態で装着されるため、長靴Ｌの内部に水がやお湯が浸入することはなく、良好な防水状態で作業を行うことができる。
【００２８】
さらに、フットカバーはそのカバー本体１が脚の膝の上方までを覆い、上辺部２が膝の上部付近を隙間なくフィットさせるように装着されるため、脚の膝付近も水滴を完全にブロックすることができる。また、ゴム縫着部８にはコードゴムが入ってギャザーがよせてあるため、動きやすく、楽に作業を行うことができる。
【００２９】
さらに、給食用厨房や食品加工場などの洗い場などで、食器や食材を水洗いする作業者は、脚を屈伸させたりその膝を深く曲げたりすることがあるが、カバー本体１の上辺部２は、クリップ５付き吊り紐４により、ズボンの膝部上方の適当な位置にクリップ止めされ、吊り上げられた状態となっている。このため、フットカバーのカバー本体１の上部は、常に吊り上げるように保持され、脚を屈伸させたりその膝を深く曲げたりしたときにも、カバー本体１のずり落ちを防止することができ、カバー本体１の上部が着用者の膝の上部付近までを確実に覆うことができる。また、カバー本体１の上辺部２を締め付けずに装着できるため、膝の上部回りを締め付けずに楽に着用し、作業を続けることができる。
【００３０】
さらに、中間部上部寄りに設けたゴム縫着部８の上側の背面側に、タック１１が水平方向に形成されているから、膝の裏側にこのタック１１の部分が位置し、着用者が膝を屈伸させたり深く曲げたとき、膝の部分に生じやすいつっぱり感を軽減し、装着感を向上させることができる。
【００３１】
図４〜図６は他の実施形態のフットカバーを示し、このフットカバーは、短靴を履いた使用者に最適に使用されるカバーである。上記実施形態と同じ部材については、図４〜図６に上記と同じ符号を付してその説明を省略する。
【００３２】
このフットカバーは、脚の膝から短靴の上部までをカバーする布製円筒状に形成されたカバー本体１を備えて構成される。カバー本体１は、上記と同様に、透湿性と防水性を併せ持つ透湿防水性を有した略方形の布素材を円筒状に丸め、両側の縁部を合わせ、縦縫着部７として背面部を縫着して形成される。
【００３３】
布製円筒状のカバー本体１の上辺部２は、その内径が使用者のズボンの脚部の外径より少し大径に形成され、さらに、上辺部２を縮径するための上辺縮径ベルト部６が上辺部２外周面の一部に縫着されている。この上辺縮径ベルト部６の内側に面ファスナー６ｂが縫着され、その面ファスナー６ｂに対応して接着可能な面ファスナー６ａが上辺部の外周面の一部に縫着されている。
【００３４】
さらに、カバー本体１の上辺部２の正面側には、吊り紐４が縫着され、吊り紐４の先端にクリップ５が取着されている。吊り紐４は通常の布製の紐の他、コールゴム製のゴム紐とすることもできる。クリップ５は、例えば、使用者のズボンの脚部の一部を少し折り曲げ、その折り曲げ部を下から挟み、挟持する構造である。
【００３５】
さらに、カバー本体１の中間部の上部寄りに、コールゴム８ａを内側から縫着したゴム縫着部８が設けられる。このゴム縫着部８は、使用者がフットカバーのカバー本体１を脚に着用したとき、着用者の膝の少し下方に位置するように、カバー本体１の中間部に配置される。コールゴム８ａを縫着する際、布にギャザーがよるように縫着し、コールゴム８ａを伸ばして伸長可能に縫着される。
【００３６】
さらに、カバー本体１におけるゴム縫着部８の上側の背面側に、複数（例えば３本）のタック１１が、カバー本体１の背面側の布を内側につまみ、水平方向に縫い合わせることによって、形成されている。これらのタック１１は、カバー本体１を使用者のズボンの脚部上に着用した場合、その膝部の背面側にあたる位置に形成され、着用者が膝を曲げたとき、膝につっぱり感が生じにくくしている。
【００３７】
さらに、このカバー本体１の下部には、コールゴム２９ａを内側から縫着した下ゴム縫着部２９が形成され、その下ゴム縫着部２９の下側に靴上被覆部３０が短靴の上部を覆い、下側に開くように延設されている。下ゴム縫着部２９は、使用者がフットカバーのカバー本体１を脚に着用したとき、着用者の足首付近に位置するように、カバー本体１の下部に配置される。コールゴム２９ａを縫着する際、布にギャザーがよるように縫着し、コールゴム２９ａを伸ばして伸長可能に縫着される。
【００３８】
靴上被覆部３０は、短靴の上部を覆うように形成され、特に短靴の前部を多く覆うように、中央部が下方に膨出した形状に形成されている。この靴上被覆部３０の下縁部は縫い代を三つ巻きにして縫製される。上記の如く、靴上被覆部３０の上部付近には、内側横断方向にコールゴム２９ａが縫着されて下ゴム縫着部２９がギャザー付きで形成される。
【００３９】
上記構成のフットカバーは、短靴を履いた作業者が、図４〜図６のようにその短靴と脚の上から着用して使用する。このフットカバーは、使用者が短靴Ｓを履いたまま、先端から内側に通して装着することができるが、短靴Ｓを脱いでフットカバーを脚の膝付近まで通し、その後、短靴Ｓを履いて、図５，６のように、フットカバーの靴上被覆部３０と下ゴム縫着部２９を短靴Ｓの上に被せるように装着することもできる。
【００４０】
そして、上記と同様に、カバー本体１の正面側の上辺部２に設けた吊り紐４のクリップ５を、着用者のズボンなどにクリップ止めし、カバー本体１の上辺部２を上方から吊り上げるようにする。この際、例えば、使用者のズボンの脚部の一部を少し折り曲げ、その折り曲げ部にクリップ５を下から挟み込むようにし、簡単にクリップ止めすることができる。
【００４１】
フットカバーの着用状態において、カバー本体１の下部の靴上被覆部３０は、短靴Ｓの上部を覆い、下ゴム縫着部２９が短靴の上付近を軽く締め付け、踝付近を覆ってフィットさせている状態となる。したがって、着用者が脚を激しく動かした場合でも、短靴Ｓの上部が靴上被覆部３０から露出することはなく、水やお湯が飛散する場合でも、短靴Ｓの内部に水やお湯が浸入することはなく、良好な防水状態で作業を行うことができる。
【００４２】
また、上記実施形態と同様に、カバー本体１の上辺部２の正面側は、クリップ５付き吊り紐４により、ズボンの膝部上方の適当な位置にクリップ止めされ、吊り上げられた状態となっている。このため、フットカバーのカバー本体１の上部は、常に吊り上げるように保持され、脚を屈伸させたりその膝を深く曲げたりしたときにも、カバー本体１の上部が着用者の膝の上部付近までを確実に覆うことができ、カバー本体１のずり落ちを防止することができる。また、カバー本体１の上辺部２を締め付けずに装着できるため、膝の上部回りを締め付けずに楽に着用し、作業を続けることができる。
【００４３】
さらに、中間部上部寄りに設けたゴム縫着部８の上側の背面側に、タック１１が水平方向に形成されているから、膝の裏側にこのタック１１の部分が位置し、着用者が膝を曲げたとき、膝の部分に生じやすいつっぱり感を軽減し、装着感を向上させることができる。
【図面の簡単な説明】
【００４４】
【図１】本発明の一実施形態を示すフットカバーの右側面図である。
【図２】同フットカバーの正面図である。
【図３】同フットカバーの背面図である。
【図４】他の実施形態のフットカバーの右側面図である。
【図５】他の実施形態のフットカバーの正面図である。
【図６】同フットカバーの背面図である。
【符号の説明】
【００４５】
１      カバー本体
２      上辺部
３      下辺部
４      吊り紐
５      クリップ
６      上辺縮径ベルト部
６ａ    面ファスナー
６ｂ    面ファスナー
７      縦縫着部
８      ゴム縫着部
８ａ    コールゴム
９      袋状ゴム挿入部
９ａ    コールゴム
１１    タック
２９    下ゴム縫着部
２９ａ  コールゴム
３０    靴上被覆部
【図１】
0005001121.tif 000002
【図２】
0005001121.tif 000003
【図３】
0005001121.tif 000004
【図４】
0005001121.tif 000005
【図５】
0005001121.tif 000006
【図６】
0005001121.tif 000007